(57)【要約】【課題】光源を有する光源ユニットと光源に電力を供給する電源ユニットとを備え、光源ユニットや電源ユニットの交換が容易である照明器具を提供する。【解決手段】照明器具は、ＬＥＤユニット（光源ユニット）１１と、ＬＥＤユニットに電力を供給する電源ユニット１２と、ＬＥＤユニット１１および電源ユニット１２を保持する器具本体１３とを備える。ＬＥＤユニット１１と電源ユニット１２とを互いに着脱自在に係合するために、ＬＥＤユニット１１に設けられた第１の引掛栓刃（第１の係合用突出部）３と、電源ユニット１２に設けられ第１の引掛栓刃３が係合する第１の引掛栓刃受け部（第１の係合用受け部）と、電源ユニット１２に設けられた第２の引掛栓刃（第２の係合用突出部）４と、器具本体１３に設けられ第２の引掛栓刃４が係合する第２の引掛栓刃受け部（第２の係合用受け部）とが設けられている。【選択図】図１
2011070818.tif 000002
【特許請求の範囲】
【請求項１】
光源を有する光源ユニットと、光源ユニットに電力を供給する電源ユニットと、光源ユニットおよび電源ユニットを保持する器具本体とを備え、光源ユニット、電源ユニットおよび器具本体それぞれには、光源ユニット、電源ユニットおよび器具本体を互いに着脱自在に係合するための係合手段と、光源ユニット、電源ユニットおよび器具本体を電気的に接続するための通電手段とが設けられてなることを特徴とする照明器具。
【請求項２】
前記光源ユニットが、用途の異なる複数種類の前記光源ユニットの中から用途に応じて選択されてなり、前記電源ユニットが、用途の異なる複数種類の前記電源ユニットの中から用途に応じて選択されてなることを特徴とする請求項１記載の照明器具。
【請求項３】
前記通電手段が、前記係合用突出部および前記係合用受け部とからなり、前記光源ユニット、前記電源ユニットおよび前記器具本体のうち前記係合用突出部および前記係合用受け部により互いに係合する２つを電気的に接続することを特徴とする請求項１または請求項２記載の照明器具。
【請求項４】
前記係合手段が、前記光源ユニットおよび前記電源ユニットのいずれか一方に設けられた第１の係合用突出部と、前記光源ユニットおよび前記電源ユニットの他方に設けられ第１の係合用突出部が係合する第１の係合用受け部と、前記電源ユニットおよび前記器具本体のいずれか一方に設けられた第２の係合用突出部と、前記電源ユニットおよび前記器具本体の他方に設けられ第２の係合用突出部が係合する第２の係合用受け部とからなることを特徴とする請求項１乃至請求項３のいずれか１項に記載の照明器具。
【請求項５】
前記係合手段が、前記光源ユニットおよび前記器具本体のいずれか一方に設けられた第３の係合用突出部と、前記光源ユニットおよび前記器具本体の他方に設けられ第３の係合用突出部が係合する第３の係合用受け部と、前記電源ユニットおよび前記器具本体のいずれか一方に設けられた第４の係合用突出部と、前記電源ユニットおよび前記器具本体の他方に設けられ第４の係合用突出部が係合する第４の係合用受け部とからなることを特徴とする請求項１乃至請求項３のいずれか１項に記載の照明器具。
【発明の詳細な説明】
【技術分野】
【０００１】
本発明は、照明器具に関するものである。
【背景技術】
【０００２】
従来から、図４に示すように、複数の光源であるＬＥＤ２０２’が実装されたＬＥＤ実装基板２０１’とＬＥＤ実装基板２０１’を支持する第１の支持部材２１１ｃ’とを有する光源ユニット２１１’と、複数のＬＥＤ２０２’に電力を供給する電源回路が形成された電源回路基板２１２ａ’と電源回路基板２１２ａ’を支持する第２の支持部材２１２ｃ’とを有する電源ユニット２１２’と、略直方体の箱状に形成され且つ内部に光源ユニット２１１’と電源ユニット２１２’とが収納される器具本体２１３’とを備え、光源ユニット２１１’と電源ユニット２１２’とが器具本体２１３’に各別に固定され、光源ユニット２１１’や電源ユニット２１２’を各別に交換できるようにすることでメンテナンス等の作業性の向上を図った照明器具が提案されている（特許文献１参照）。ここに、器具本体２１３’の長手方向における片端面には、内部から放射される光を外部に取り出すための窓部２０８’が設けられている。
【０００３】
ここに、光源ユニット２１１’は、第１の支持部材２１１ｃ’を器具本体２１３’に固定する形で器具本体２１３’に取り付けられる。第１の支持部材２１１ｃ’は、器具本体２１３’の底壁２１３ａ’および底壁２１３ａ’に設けられた取付部材２１３ｃ’に取付ねじ２１１ｂ’，２１１ｄ’によってねじ止めすることで器具本体２１３’に固定されている。また、電源ユニット２１２’は、第２の支持部材２１２ｃ’を器具本体２１３’に固定する形で器具本体２１３’に取り付けられる。第２の支持部材２１２’は、取付ねじ２１２ｂ’を器具本体２１３’の底壁２１３ａ’に設けられた取付部材２１３ｂ’に取付ねじ２１２ｂ’によってねじ止めすることで器具本体２１３’に固定されている。
【０００４】
ところが、図４に示す構成の照明器具では、光源ユニット２１１’および電源ユニット２１２’が器具本体２１３’に取付ねじ２１１ｂ’，２１１ｃ’，２１２ｂ’により固定されているので、光源ユニット２１１’や電源ユニット２１２’の交換の際に、取付ねじ２１１ｂ’，２１１ｄ’，２１２ｂ’の取り付けおよび取り外しが必要となり作業性が良くなかった。
【０００５】
これに対して、図５に示すように、複数（図５では、１０個）の光源であるＬＥＤ１０２’を有する光源ユニット１１１’と、光源ユニット１１１’に電力を供給する電源回路（図示せず）が形成された電源回路基板（図示せず）を有する電源ユニット１１２’と、照明器具（図示せず）の器具本体（図示せず）に電気的および機械的に接続するための口金部１１４’とを備え、光源ユニット１１１’に設けられた第１の雄ねじ部１３３’を電源ユニット１１２’に設けられた第１の雌ねじ部１３２ｂ’に螺合させることで光源ユニット１１１’と電源ユニット１１２’とが電気的および機械的に接続し、電源ユニット１１２’に設けられた第２の雌ねじ部（図示せず）に口金部１１４’に設けられた第２の雄ねじ部１３４’を螺合させることで電源ユニット１１２’と口金部１１４’とが電気的および機械的に接続する照明装置２００’が提案されている（特許文献２参照）。
【０００６】
なお、図５に示す構成の照明装置では、光源ユニット１１１’と電源ユニット１１２’との間に光源ユニット１１１’および電源ユニット１１２’で発生した熱を外部に放熱する放熱部１０７’が介挿されている。ここに、放熱部１０７’は、円筒状に形成され放熱部１０７’の内側壁を構成する内側筒状体１７１’と、内径が内側筒状体１７１’の外径よりも大きい円筒状に形成され放熱部１０７’の外側壁を構成する外側筒状体１７２’と、内側筒状体１７１’と外側筒状体１７２’との間に内側筒状体１７１’の外周部を囲む形で設けられた放熱フィン１７３’とから構成される。ここに、放熱フィン１７３’は、金属により形成された細長且つ薄肉の板状部材をつづら折りした後に両端部同士を結合することで形成されている。また、内側筒状体１７１’の内側には、光源ユニット１１１’の一部を構成する後述の突出部１１１ｂ’が配置される。
【０００７】
光源ユニット１１１’は、複数のＬＥＤ１０２’と、当該複数のＬＥＤ１０２’が一表面側に実装されたＬＥＤ実装基板１０１’と、ＬＥＤ実装基板１０１’の他表面側に取り付けられＬＥＤ実装基板１０１’を支持する支持基板１１１ａ’と、支持基板１１１ａ’のＬＥＤ実装基板１０１’側とは反対側から突出した突出部１１１ｂ’とを備える。突出部１１１ｂ’の先端部には、電源ユニット１１２’が有する前記電源回路に電気的に接続するための第１の接続端子１４３’が設けられ、突出部１１１ｂ’における第１の接続端子１４３’よりもＬＥＤ実装基板１０１’側の部位に第１の雄ねじ部１３３’が形成されている。なお、支持基板１１１ａ’の前記一表面側には、透光性材料によりドーム状に形成され支持基板１１１ａ’の前記一表面側全体を覆うカバー１０６’が取着されている。また、支持基板１１１ａ’の端面の全周に亘ってねじ加工が施されることにより第３の雄ねじ部１１１ｃ’が形成されるとともに、カバー１０６’の内周縁にも全周に亘ってねじ加工が施されることにより第３の雌ねじ部（図示せず）が形成されており、カバー１０６’の内周縁の前記第３の雌ねじ部に支持基板１１１ａ’の端面の第３の雄ねじ部１１１ｃ’が螺合する形で、カバー１０６’が支持基板１１１ａ’に取着される。
【０００８】
電源ユニット１１２’は、有底円筒状に形成され底壁１１２ｂ’の中央部に平面視円形状の貫通孔１１２ｃ’が形成された電源ユニット本体１１２ａ’を備える。ここに、底壁１１２ｂ’の内側面には、前記電源回路基板を支持するための複数の支持片（図示せず）が突設されており、前記各支持片の先端部には前記電源回路基板の厚みと略同じ幅寸法となるように形成された溝部（図示せず）が設けられている。前記電源回路基板は、周部を前記各支持片の先端部に形成された前記溝部に嵌合させた形で支持されている。また、貫通孔１１２ｃ’の内周側面には、光源ユニット１１１’に設けられた第１の雄ねじ部１３３’が螺合する第１の雌ねじ部１３２ｂ’が形成されている。また、電源ユニット本体１１２ａ’の底壁１１２ｂ’とは直交する側壁における底壁１１２ｂ’とは反対側の端部には、内周全体に亘って、口金部１１４’に設けられた第２の雄ねじ部１３４’が螺合する前記第２の雌ねじ部が形成されている。
【０００９】
口金部１１４’は、電源ユニット１１２’が取り付けられる一端側が開放した有底円筒状に形成され前記一端側とは反対側の他端側ほど縮径する形に形成されている。また、口金部１１４’の前記一端側の端部には、外周面全体に亘ってねじ加工が施されることにより第２の雄ねじ部１３４’が形成されている。なお、口金部１１４’における前記他端側の端部には、外周面全体に亘ってねじ加工を施すことにより前記器具本体に電気的および機械的に接続するための第４の雄ねじ部１３５’が形成されている。
【００１０】
従って、照明装置２００’を前記器具本体に電気的および機械的に接続してなる照明器具であれば、特許文献１に記載の照明器具のように、前記光源ユニットや前記電源ユニットを前記器具本体に固定するための取付ねじ２１１ｂ’，２１１ｄ’，２１２ｂ’が不要となるので、光源ユニット１１１’や電源ユニット１１２’の交換が容易になるという利点がある。
【先行技術文献】
【特許文献】
【００１１】
【特許文献１】特開２００１−２１６８０３号公報
【特許文献２】特開２００８−２９３７５３号公報
【発明の概要】
【発明が解決しようとする課題】
【００１２】
しかしながら、図５に示す構成の照明装置２００’を用いた前記照明器具では、光源ユニット１１１’および電源ユニット１１２’それぞれを交換する場合、まず、光源ユニット１１１’、電源ユニット１１２’および口金部１１４’を備える照明装置２００’全体を前記器具本体から取り外す必要があり、光源ユニット１１１’や電源ユニット１１２’の交換が煩わしいものとなっていた。
【００１３】
本願発明は、上記事由に鑑みてなされたものであり、その目的は、光源を有する光源ユニットと光源に電力を供給する電源ユニットとを備え、光源ユニットや電源ユニットの交換が容易である照明器具を提供することにある。
【課題を解決するための手段】
【００１４】
請求項１の発明は、光源を有する光源ユニットと、光源ユニットに電力を供給する電源ユニットと、光源ユニットおよび電源ユニットを保持する器具本体とを備え、光源ユニット、電源ユニットおよび器具本体それぞれには、光源ユニット、電源ユニットおよび器具本体を互いに着脱自在に係合するための係合手段と、光源ユニット、電源ユニットおよび器具本体を電気的に接続するための通電手段とが設けられてなることを特徴とする。
【００１５】
この発明によれば、光源ユニット、電源ユニットおよび器具本体それぞれには、光源ユニット、電源ユニットおよび器具本体を互いに着脱自在に結合するための係合手段と、光源ユニット、電源ユニットおよび器具本体を電気的に接続するための通電手段とが設けられてなることにより、光源ユニットまたは電源ユニットを交換する場合において、器具本体から光源ユニットおよび電源ユニット以外の照明器具の構成部品を取り外す必要がないので、光源ユニットや電源ユニットの交換が容易になる。
【００１６】
請求項２の発明は、請求項１の発明において、前記光源ユニットが、用途の異なる複数種類の前記光源ユニットの中から用途に応じて選択されたものであり、前記電源ユニットが、用途の異なる複数種類の前記電源ユニットの中から用途に応じて選択されたものであることを特徴とする。
【００１７】
この発明によれば、請求項１の発明において、前記光源ユニットが、用途の異なる複数種類の前記光源ユニットの中から用途に応じて選択されたものであり、前記電源ユニットが、用途の異なる複数種類の前記電源ユニットの中から用途に応じて選択されたものであることにより、１つの照明器具で多様な用途に対応することができるので、利便性の向上を図ることができる。
【００１８】
請求項３の発明は、請求項１または請求項２の発明において、前記通電手段が、前記係合用突出部および前記係合用受け部とからなることを特徴とする。
【００１９】
この発明によれば、前記通電手段が、前記係合用突出部および前記係合用受け部とからなることにより、前記係合用突出部および前記係合用受け部とを係合させる作業とは別に、前記光源ユニット、前記電源ユニットおよび前記器具本体のうち前記係合用突出部と前記係合用受け部とにより互いに係合する２つを電気的に接続するための作業が不要となるので、前記光源ユニットまたは前記電源ユニットの交換が、より容易になる。
【００２０】
請求項４の発明は、請求項１乃至請求項３の発明において、前記係合手段が、前記光源ユニットおよび前記電源ユニットのいずれか一方に設けられた第１の係合用突出部と、前記光源ユニットおよび前記電源ユニットの他方に設けられ第１の係合用突出部が係合する第１の係合用受け部と、前記電源ユニットおよび前記器具本体のいずれか一方に設けられた第２の係合用突出部と、前記電源ユニットおよび前記器具本体の他方に設けられ第２の係合用突出部が係合する第２の係合用受け部とからなることを特徴とする。
【００２１】
この発明によれば、前記係合手段が、前記光源ユニットおよび前記電源ユニットのいずれか一方に設けられた第１の係合用突出部と、前記光源ユニットおよび前記電源ユニットの他方に設けられ第１の係合用突出部が係合する第１の係合用受け部と、前記電源ユニットおよび前記器具本体のいずれか一方に設けられた第２の係合用突出部と、前記電源ユニットおよび前記器具本体の他方に設けられ第２の係合用突出部が係合する第２の係合用受け部とからなることにより、光源ユニットだけを交換する場合に器具本体から光源ユニット以外の照明器具の構成部品を取り外す必要がないので、光源ユニットの交換が、より容易になる。
【００２２】
請求項５の発明は、請求項１乃至請求項３の発明において、前記係合手段が、前記光源ユニットおよび前記器具本体のいずれか一方に設けられた第３の係合用突出部と、前記光源ユニットおよび前記器具本体の他方に設けられ第３の係合用突出部が係合する第３の係合用受け部と、前記電源ユニットおよび前記器具本体のいずれか一方に設けられた第４の係合用突出部と、前記電源ユニットおよび前記器具本体の他方に設けられ第４の係合用突出部が係合する第４の係合用受け部とからなることを特徴とする。
【００２３】
この発明によれば、前記係合手段が、前記光源ユニットおよび前記器具本体のいずれか一方に設けられた第３の係合用突出部と、前記光源ユニットおよび前記器具本体の他方に設けられ第３の係合用突出部が係合する第３の係合用受け部と、前記電源ユニットおよび前記器具本体のいずれか一方に設けられた第４の係合用突出部と、前記電源ユニットおよび前記器具本体の他方に設けられ第４の係合用突出部が係合する前記第４の係合用受け部とからなることにより、電源ユニットだけを交換する場合に器具本体から光源ユニットを含む電源ユニット以外の照明器具の構成部品を取り外す必要がないので、電源ユニットの交換が、より容易になる。
【発明の効果】
【００２４】
請求項１の発明によれば、光源ユニット、電源ユニットおよび器具本体それぞれに係合用突出部および係合用突出部の少なくとも一部が係合する係合用受け部の少なくとも一方が設けられてなることにより、光源ユニットまたは電源ユニットだけを交換したい場合において、光源ユニットおよび電源ユニット以外の構成部品を器具本体から取り外す必要がないので、交換が容易になる。
【図面の簡単な説明】
【００２５】
【図１】実施形態１の照明器具の概略説明図である。
【図２】実施形態２の照明器具の概略説明図である。
【図３】実施形態３の照明器具の概略説明図である。
【図４】従来例の一部破断した断面図である。
【図５】他の従来例の分解斜視図である。
【発明を実施するための形態】
【００２６】
（実施形態１）
以下、実施形態の照明器具について図１に基づいて説明する。
【００２７】
実施形態１の照明器具は、複数（図示例では、４つ）の光源であるＬＥＤ（図示せず）を有する光源ユニットであるＬＥＤユニット１１と、ＬＥＤユニット１１に電力を供給する電源ユニット１２と、ＬＥＤユニット１１および電源ユニット１２を保持する器具本体１３とを備える。
【００２８】
ＬＥＤユニット１１は、図１に示すように、アルミニウム合金等や合成樹脂により一端側が閉塞した円筒状に形成され且つ前記一端側の側壁に４つの開口部１１ｂが貫設されたＬＥＤユニット本体１１ａを備え、前記開口部１１ｂには、４つの前記ＬＥＤそれぞれから放射される光が透過する４つのレンズ２が取着されている。ここで、ＬＥＤユニット本体１１ａは、アルミニウム合金を用いてダイカストにより鋳造するか、或いは、合成樹脂を成形することにより作製することができる。なお、ＬＥＤユニット本体１１ａの内部には、前記ＬＥＤが実装されたＬＥＤ実装基板（図示せず）が収納されている。また、ＬＥＤユニット本体１１ａの他端側には、金属により形成された４つの第１の係合用突出部である第１の引掛栓刃３が設けられており、４つの第１の引掛栓刃３のうちの２つの第１の引掛栓刃３は、第１の導電線（図示せず）を介して前記ＬＥＤ実装基板に電気的に接続されている。残り２つの第１の引掛栓刃３には、前記第１の導電線が接続されていないが、第１の引掛栓刃３を後述の第１の引掛栓刃受け部に係合することでＬＥＤユニット本体１１ａと後述の電源ユニット本体１２ａとをより堅固に結合することができる。また、４つの第１の引掛栓刃３は、誤接続による通電不良を防止するために、前記第１の導電線が接続された第１の引掛栓刃３の幅寸法が、前記第１の導電線が接続されていない第１の引掛栓刃３の幅寸法に比べて大きくなるように形成されたものであってもよい。なお、ＬＥＤユニット本体１１ａは、両端側が閉塞した筒状に形成されたものであってもよい。
【００２９】
第１の引掛栓刃３は、ＬＥＤユニット本体１１ａの前記他端側からＬＥＤユニット本体１１ａの中心軸方向に突出する細長の板状の主片３ａと、主片３ａにおけるＬＥＤユニット本体１１ａ側とは反対側の端部から主片３ａが突出する方向とは直交し且つＬＥＤユニット本体１１ａの前記中心軸に近づく方向に折曲してなる折曲片３ｂとからなる。
【００３０】
電源ユニット１２は、図１に示すように、金属（例えば、アルミニウム合金等）や合成樹脂により一端側が閉塞した円筒状に形成された電源ユニット本体１２ａを備え、電源ユニット本体１２ａの前記一端側にＬＥＤユニット１１が取り付けられる。電源ユニット本体１２ａの前記一端側の側壁の周部には、ＬＥＤユニット１１に設けられた４つの第１の引掛栓刃３それぞれが挿入される４つの掛止用孔である第１の引掛栓刃挿入孔１２ｂが貫設されている。なお、電源ユニット１２の内部には、ＬＥＤユニット本体１１ａの内部に収納された前記ＬＥＤ実装基板に第１の引掛栓刃３を介して電力を供給する電源回路（図示せず）が形成された電源回路基板（図示せず）が収納されている。
【００３１】
また、電源ユニット本体１２ａにおける前記一端側には、第１の引掛栓刃挿通孔１２ｂに挿通された第１の引掛栓刃３が係合する４つの係合用受け部である第１の引掛栓刃受け部（図示せず）が設けられており、４つの前記第１の引掛栓刃受け部のうちの２つの前記第１の引掛栓刃受け部は、第２の導電線（図示せず）を介して前記電源回路基板に電気的に接続されている。残り２つの前記第１の引掛栓刃受け部には、前記第２の導電線が接続されておらず、第１の引掛栓刃３が係合することでＬＥＤユニット本体１１ａと電源ユニット本体１２ａとをより堅固に結合することができる。ＬＥＤユニット本体１１ａと電源ユニット本体１２ａとを係合する役割のみを果たす。
【００３２】
また、電源ユニット本体１２ａの他端側には、金属により形成された４つの第２の係合用突出部である第２の引掛栓刃４が設けられており、４つの第２の引掛栓刃４のうちの２つの第２の引掛栓刃４は、第１の電源線（図示せず）を介して前記電源回路基板に電気的に接続されている。残り２つの第２の引掛栓刃４は、前記第１の電源線が接続されていないが、後述の第２の引掛栓刃受け部に係合することで電源ユニット本体１２ａと後述の器具本体１３とをより堅固に結合することができる。なお、電源ユニット本体１２ａは、両端側が閉塞した筒状に形成されたものであってもよい。
【００３３】
第１の引掛栓刃挿入孔１２ｂは、電源ユニット本体１２ａの前記一端側の第２の側壁１２ｃの周部に沿って弧状に形成された長孔であって、ＬＥＤユニット１１に設けられた４つの第１の引掛栓刃３それぞれに対応する位置に貫設されている。第１の引掛栓刃挿入孔１２ｂは、第１の引掛栓刃３の折曲片３ｂが挿通できる大きさに形成された幅広部１２ｂ１と、第１の引掛栓刃３の折曲片３ｂが挿通できない大きさに形成された幅狭部１２ｂ２とから構成されている。なお、４つの第１の引掛栓刃挿通孔１２ｂは、誤接続による通電不良を防止するために、前記第２の導電線が接続された前記第１の引掛栓刃受け部に対応する第１の引掛栓刃挿通孔１２ｂの幅広部１２ｂ１の長手方向の寸法が、前記第２の導電線が接続されていない前記第１の引掛栓刃受け部に対応する第１の引掛栓刃挿通孔１２ｂの幅広部１２ｂ１の長手方向の寸法に比べて大きくなるように形成されたものであってもよい。
【００３４】
第２の引掛栓刃４は、電源ユニット本体１２ａの前記他端側から電源ユニット本体１２ａの中心軸方向に突出する細長の板状の主片４ａと、主片４ａにおける電源ユニット本体１２ａ側とは反対側の端部から主片４ａが突出する方向とは直交し且つ電源ユニット本体１２ａの前記中心軸に近づく方向に折曲してなる折曲片４ｂとからなる。
【００３５】
ここで、ＬＥＤユニット１１を電源ユニット本体１２ａに取り付ける場合、ＬＥＤユニット１１に設けられた４つの第１の引掛栓刃３それぞれを、電源ユニット本体１２ａの第２の側壁１２ｃに形成された４つの第１の引掛栓刃挿通孔１２ｂそれぞれの幅広部１２ｂ１に挿通し、ＬＥＤユニット本体１１ａを電源ユニット本体１２ａの第２の側壁１２ｃに当接させる。その後、ＬＥＤユニット本体１１ａを電源ユニット本体１２ａの第２の側壁１２ｃに沿って、第２の側壁１２ｃにおけるＬＥＤユニット本体１１ａ側から見て反時計回りに回動させると、第１の引掛栓刃３の主片３ａが第１の引掛栓刃挿通孔１２ｂの幅狭部１２ｂ２に嵌入されるとともに第１の引掛栓刃３の一部である折曲片３ｂが前記第１の引掛栓刃受け部に係合し、ＬＥＤユニット１１が電源ユニット本体１２ａに係止される。
【００３６】
一方、ＬＥＤユニット１１を電源ユニット本体１２ａから取り外す場合、ＬＥＤユニット本体１１ａを電源ユニット本体１２ａの第２の側壁１２ｃに沿って、第２の側壁１２ｃにおけるＬＥＤユニット本体１１ａ側から見て時計回りに回動させ、第１の引掛栓刃３それぞれを第１の引掛栓刃挿通孔１２ｂの幅広部１２ｂ１に配置した上でＬＥＤユニット本体１１ａを電源ユニット本体１２ａから取り外せばよい。
【００３７】
なお、本実施形態では、ＬＥＤユニット１１を電源ユニット本体１２ａに取り付ける場合、ＬＥＤユニット本体１１ａを電源ユニット本体１２ａの第２の側壁１２ｃに沿って、第２の側壁におけるＬＥＤユニット本体１１ａ側から見て時計回りに回動させるものであってもよい。
【００３８】
また、本実施形態では、第１の引掛栓刃３の一部である折曲片３ｂが前記第１の引掛栓刃受け部に係合する例について説明したが、第１の引掛栓刃３の主片３ａおよび折曲片３ｂが、前記第１の引掛栓刃受け部に係合するものであってもよい。
【００３９】
器具本体１３は、図１に示すように、金属（例えば、アルミニウム合金等）や合成樹脂により両端側が閉塞した円筒状に形成され、円筒状に形成された連結部１３ｅを介して接続部（図示せず）が連結されている。前記接続部は、配線ダクト１３ｄに係止されている。ここに、連結部１３ｅは、前記接続部に対して中心軸の周りに回動自在となっており、器具本体１３の首振りが可能となっている。器具本体１３の中心軸方向における片端側の第３の側壁１３ｃには、電源ユニット１２が取り付けられる。器具本体１３の第３の側壁１３ｃの周部には、電源ユニット１２に設けられた４つの第２の引掛栓刃４それぞれが挿入される４つの第２の引掛栓刃挿入孔１３ｂが貫設されている。なお、器具本体１３の内部には、外部に設けられた交流電源（図示せず）に接続され電源ユニット本体１２ａの内部に収納された前記電源回路基板に第２の引掛栓刃４を介して電力を供給するための第２の電源線（図示せず）が収納されている。また、器具本体１３における前記片端側には、第２の引掛栓刃挿通孔１３ｂに挿通された第２の引掛栓刃４が係合する４つの係合用受け部である第２の引掛栓刃受け部（図示せず）が設けられており、前記第２の電源線に電気的に接続されている。
【００４０】
第２の引掛栓刃挿入孔１３ｂは、器具本体１３の第３の側壁１３ｃの周部に沿って弧状に形成された長孔であって、第３の側壁１３ｃに対向する電源ユニット１２に設けられた４つの第２の引掛栓刃４それぞれに対応する位置に貫設されている。また、第２の引掛栓刃挿入孔１３ｂは、第１の引掛栓刃挿通孔１２ｂと同様に、第２の引掛栓刃４の折曲片４ｂが挿通できる大きさに形成された幅広部１３ｂ１と、第２の引掛栓刃４の折曲片４ｂが挿通できない大きさに形成された幅狭部１３ｂ２とから構成されている。
【００４１】
ここで、電源ユニット１２を器具本体１３に取り付ける場合、電源ユニット１２に設けられた４つの第２の引掛栓刃４それぞれを、器具本体１３の第３の側壁１３ｃに形成された４つの第２の引掛栓刃挿通孔１３ｂそれぞれの幅広部１３ｂ１に挿通し、電源ユニット本体１２ａを器具本体１３の第３の側壁１３ｃに当接させる。その後、電源ユニット本体１２ａを器具本体１３の第３の側壁１３ｃに沿って、第３の側壁１３ｃにおける電源ユニット本体１２ａ側から見て時計回りに回動させると、第２の引掛栓刃４の主片４ａが第２の引掛栓刃挿通孔１３ｂの幅狭部１３ｂ２に嵌入されるとともに第２の引掛栓刃４の一部である折曲片４ｂが前記第２の引掛栓刃受け部に係合し、電源ユニット１２が器具本体１３に係止される。
【００４２】
一方、電源ユニット１２を器具本体１３から取り外す場合、電源ユニット本体１２ａを器具本体１３の第３の側壁１３ｃに沿って、第３の側壁１３ｃにおける電源ユニット本体１２ａ側から見て反時計回りに回動させ、第２の引掛栓刃４それぞれを第２の引掛栓刃挿通孔１３ｂの幅広部１３ｂ１に配置した上で電源ユニット本体１２ａを器具本体１３から取り外せばよい。
【００４３】
なお、本実施形態では、電源ユニット１２を器具本体１３に取り付ける場合、電源ユニット本体１２ａを器具本体１３の第３の側壁１３ｃに沿って、第３の側壁１３ｃにおける電源ユニット本体１２ａ側から見て時計と反対回りに回動させるものであってもよい。
【００４４】
また、本実施形態では、第２の引掛栓刃３の一部である折曲片４ｂが前記第２の引掛栓刃受け部に係合する例について説明したが、第２の引掛栓刃４の主片４ａおよび折曲片４ｂが、前記第２の引掛栓刃受け部に係合するものであってもよい。
【００４５】
結局、本実施形態の照明器具は、ＬＥＤユニット１１に第１の引掛栓刃３が設けられ、電源ユニット１２に第１の引掛栓刃３の一部である折曲片３ｂが係合する前記第１の引掛栓刃受け部が設けられることにより、ＬＥＤユニット１１が電源ユニット本体１２ａに着脱自在となっており、また、電源ユニット１２には、第２の引掛栓刃４が設けられ、器具本体１３に第２の引掛栓刃４の一部である折曲片４ｂが係合する前記第２の引掛栓刃受け部が設けられることにより、電源ユニット１２が器具本体１３に着脱自在となっている。
【００４６】
しかして、ＬＥＤユニット１１や電源ユニット１２を交換する場合、器具本体１３からＬＥＤユニット１１および電源ユニット１２以外の照明器具の構成部品を取り外す必要がないので、ＬＥＤユニット１１や電源ユニット１２の交換が容易になる。
【００４７】
また、ＬＥＤユニット１１や電源ユニット１２を交換する場合に、ＬＥＤユニット１１および電源ユニット１２以外の照明器具の構成部品を取り外す必要がないので、ＬＥＤユニット１１および電源ユニット１２以外の照明器具の構成部品の紛失を防止できる。
【００４８】
ところで、本実施形態の照明器具では、ＬＥＤユニット１１を電源ユニット本体１２ａから取り外す場合にＬＥＤユニット本体１１ａを電源ユニット本体１２ａに対して回動させる向きと、電源ユニット１２を器具本体１３から取り外す場合に電源ユニット本体１２ａを器具本体１３に対して回動させる向きとが異なる。従って、ＬＥＤユニット１１のみを取り外すためにＬＥＤユニット本体１１ａを回動させるときに、電源ユニット１２が回動しないように押えておく必要がないので、ＬＥＤユニット１１の交換作業が容易になるという利点がある。
【００４９】
また、本実施形態の照明器具では、ＬＥＤユニット１１が、用途が異なる複数種類のＬＥＤユニット１１の中から照明器具の用途に応じて選択されてなる。例えば、ＬＥＤユニット１１として、広角配光（例えば、前記ＬＥＤから放射される光の放射角が４５°となるような配光）の前記ＬＥＤを有するＬＥＤユニット１１、中角配光（例えば、前記ＬＥＤから放射される光の放射角が４５°よりも小さい第１の規定角度となるような配光）の光源を有するＬＥＤユニット１１および挟角配光（例えば、前記ＬＥＤから放射される光の放射角が前記第１の規定角度よりも更に小さい第２の規定角度となるような配光）の光源を有するＬＥＤユニット１１の中から選択した１つを使用することができる。
【００５０】
または、人の存否を検知するための人感センサや周囲の明るさを検知するための明るさセンサ等のセンサ（図示せず）が設けられたセンサ付きＬＥＤユニット（図示せず）や、生鮮食料品の売り場等で使用され、生鮮食料品の種類に応じて発光色を変化させることができる前記ＬＥＤを有する生鮮用ＬＥＤユニット（図示せず）を使用することができる。前記生鮮用ＬＥＤユニットは、例えば、生鮮牛肉の売り場で使用するものであれば、赤色が強調されるように発光色が赤色に設定され、緑色や白色の野菜が陳列された野菜売り場で使用するものであれば、陳列された野菜の色に応じて発光色が緑色や白色に設定されている。
【００５１】
なお、前記生鮮用ＬＥＤユニットとしては、発光色が赤色のＬＥＤチップ、発光色が緑色のＬＥＤチップおよび発光色が青色のＬＥＤチップの３種類の前記ＬＥＤチップを有する発光部（図示せず）を備え、発光色が異なる前記３種類のＬＥＤチップそれぞれの発光強度を適宜設定することにより前記ＬＥＤの発光色を所望の発光色に設定することができるものを使用してもよい。また、前記生鮮用ＬＥＤユニットとしては、発光色が青色のＬＥＤチップ（図示せず）と当該ＬＥＤチップの周囲を囲む形で配設された蛍光体を含む透光性部材（図示せず）とを有する発光部（図示せず）を備え、前記蛍光体の種類を適宜設定することにより前記ＬＥＤの発光色を所望の発光色に設定することができるものを使用してもよい。
【００５２】
更に、本実施形態の照明器具では、電源ユニット１２が、用途が異なる複数種類の電源ユニット１２の中から照明器具の用途に応じて選択されてなる。例えば、定格点灯用の電源ユニット１２および調光点灯用の電源ユニット１２の中から１つを選択して使用することができる。ここで、調光点灯用の電源ユニット１２は、照明器具とは別置の調光コントローラ（図示せず）からの信号に基づいて光源ユニット１１に供給する電力を制御するものであってもよい。
【００５３】
しかして、１つの照明器具で多様な用途に対応することができるので、利便性の向上を図ることができる。
【００５４】
また、実施形態の照明器具は、ＬＥＤユニット１１と電源ユニット１２とを電気的に接続するための通電手段である第１の通電手段が、第１の引掛栓刃３と前記第１の引掛栓刃受け部とからなる。また、電源ユニット１２と器具本体１３とを電気的に接続するための通電手段である第２の通電手段が、第２の引掛栓刃４と前記第２の引掛栓刃受け部とからなる。
【００５５】
従って、第１の引掛栓刃３と前記第１の引掛栓刃受け部とを係合させる作業とは別に、ＬＥＤユニット１１と電源ユニット１２とを電気的に接続するための作業が不要となるので、前記光源ユニットまたは前記電源ユニットの交換が、より容易になる。
【００５６】
また、本実施形態では、天井に配設された配線ダクト（図示せず）に取付部１３ｄおよび連結部１３ｅを介して取り付けられた器具本体１３にＬＥＤユニット１１および電源ユニット１２が取り付けられる例について説明したが、これに限定されるものではなく、図２に示すように、天井埋め込み型の照明器具であって、円盤状に形成された本体部３３ａと、本体部３３ａの周部に固着された円筒状のスペーサ部３３ｂとからなる器具本体３３を備え、器具本体３３のスペーサ部３３ｂの内側に、ＬＥＤユニット１１および電源ユニット１２が配置されるものであってもよい。ここに、スペーサ部３３ｂの端面は、天井材Ｃにおける貫通孔Ｄの外周部における照明空間側の下面Ｃ１とは反対側の上面Ｃ２に固着されている。
【００５７】
ここに、器具本体３３の本体部３３ａにおけるスペーサ部３３ｂが突出する側の側壁３３ｃには、電源ユニット１２に設けられた４つの第２の引掛栓刃４それぞれが挿入される４つの第２の引掛栓刃挿入孔（図示せず）が貫設されている。なお、器具本体３３の内部には、外部に設けられた交流電源（図示せず）に接続され電源ユニット本体１２ａの内部に収納された前記電源回路基板に第２の引掛栓刃４を介して電力を供給するための第２の電源線（図示せず）が収納されている。また、器具本体３３における前記側壁３３ｃ側には、前記第２の引掛栓刃挿通孔に挿通された第２の引掛栓刃４が係合する４つの係合用受け部である第２の引掛栓刃受け部（図示せず）が設けられており、前記第２の電源線に電気的に接続されている。
【００５８】
なお、本実施形態では、前記第１の通電手段が、第１の引掛栓刃３および前記第１の引掛栓刃受け部からなる例について説明したが、例えば、前記第１の通電手段が、第１の引掛栓刃３と前記第１の引掛栓刃受け部とは別にＬＥＤユニット１１および電源ユニット１２それぞれに設けられた一対の接続端子（図示せず）であってもよい。また、本実施形態では、前記第２の通電手段が、第２の引掛栓刃４および前記第２の引掛栓刃受け部からなる例について説明したが、例えば、前記第２の通電手段が、第２の引掛栓刃４と前記第２の引掛栓刃受け部とは別に器具本体１３および電源ユニット１２それぞれに設けられた一対の接続端子（図示せず）であってもよい。
【００５９】
（実施形態２）
本実施形態の照明器具は、実施形態１の照明器具と同様の構成であって、図３に示すように、器具本体１３にＬＥＤユニット１１および電源ユニット１２の両方が取り付けられる点が実施形態１とは相違する。なお、実施形態１と同様の構成については同一の符号を付して説明を省略する。
【００６０】
ここに、ＬＥＤユニット１１には、係合用突出部である第３の引掛栓刃２３、器具本体２３に第３の引掛栓刃２３の一部である折曲片２３ｂが係合する係合用受け部である第３の引掛栓刃受け部（図示せず）が設けられ、電源ユニット１２には、係合用突出部である第４の引掛栓刃２４、器具本体１３に第４の引掛栓刃２４の一部である折曲片２４ｂが係合する係合用受け部である第４の引掛栓刃受け部（図示せず）が設けられている。
【００６１】
器具本体１３は、図３に示すように、金属（例えば、アルミニウム合金等）や合成樹脂により両端側が閉塞した円筒状に形成され、円筒状に形成された連結部１３ｅを介して接続部（図示せず）が連結されている。前記接続部は、配線ダクト１３ｄに係止されている。ここに、連結部１３ｅは、前記接続部に対して中心軸周りに回動自在となっており、器具本体１３の首振りが可能となっている。器具本体１３の中心軸方向における一端側の第４の側壁１３ｃ１には、ＬＥＤユニット１１が取り付けられ、器具本体１３の中心軸方向における他端側の第５の側壁１３ｃ２には、電源ユニット１２が取り付けられる。
【００６２】
器具本体１３の第４の側壁１３ｃ１の周部には、ＬＥＤユニット１１に設けられた４つの第３の引掛栓刃２３それぞれが挿入される４つの第３の引掛栓刃挿入孔（図示せず）が貫設されている。また、器具本体１３の第５の側壁１３ｃ２の周部には、電源ユニット１２に設けられた４つの第４の引掛栓刃２４それぞれが挿入される４つの第４の引掛栓刃挿入孔（図示せず）が貫設されている。なお、器具本体１３の内部には、外部に設けられた交流電源（図示せず）に接続され電源ユニット本体１２ａの内部に収納された電源回路基板（図示せず）に第４の引掛栓刃２４を介して電力を供給するための電源線（図示せず）と、前記電源回路基板とＬＥＤユニット本体１１ａの内部に収納されたＬＥＤ実装基板（図示せず）とを電気的に接続するための導電線（図示せず）とが収納されている。
【００６３】
また、器具本体１３の中心軸方向における一端側には、前記第３の引掛栓刃挿通孔に挿通された第３の引掛栓刃２３の一部である折曲片２３ｂが係合する４つの係合用受け部である第３の引掛栓刃受け部（図示せず）が設けられており、２つの前記第３の引掛栓刃受け部が前記導電線に接続されている。残り２つの前記第３の引掛栓刃受け部は、前記導電線および前記電源線のいずれも接続されていないダミーとなっている。また、器具本体１３の中心軸方向における他端側には、前記第４の引掛栓刃挿通孔に挿通された第４の引掛栓刃２４の一部である折曲片２４ｂが係合する４つの係合用受け部である第４の引掛栓刃受け部（図示せず）が設けられており、４つの前記第４の引掛栓刃受け部のうちの２つの前記第４の引掛栓刃受け部に前記電源線が接続されており、他の２つの前記第４の引掛栓刃受け部に前記導電線に接続されている。
【００６４】
しかして、電源ユニット１２だけを交換する場合に器具本体１３から電源ユニット１２以外の構成部品を取り外す必要がないので、電源ユニット１２の交換が、より容易になる。また、電源ユニット１２だけを交換する場合に器具本体１３から電源ユニット１２以外の構成部品を取り外す必要がないので、電源ユニット１２以外の構成部品の紛失を防止できる。
【００６５】
また、本実施形態の照明器具では、ＬＥＤユニット１１と電源ユニット１２とを電気的に接続するための通電手段である第１の通電手段が、第３の引掛栓刃２３と前記第３の引掛栓刃受け部とからなる。また、電源ユニット１２と器具本体１３とを電気的に接続するための通電手段である第２の通電手段が、第４の引掛栓刃２４と前記第４の引掛栓刃受け部とからなる。
【００６６】
従って、第１の引掛栓刃３と前記第１の引掛栓刃受け部とを係合させる作業とは別に、ＬＥＤユニット１１と電源ユニット１２とを電気的に接続するための作業が不要となるので、前記光源ユニットまたは前記電源ユニットの交換が、より容易になる。
【符号の説明】
【００６７】
３  第１の引掛栓刃（第１の係合用突出部）
４  第２の引掛栓刃（第２の係合用突出部）
２３  第３の引掛栓刃（第３の係合用突出部）
２４  第４の引掛栓刃（第４の係合用突出部）
１１  ＬＥＤユニット（光源ユニット）
１２  電源ユニット
１３，３３  器具本体
【図１】
2011070818.tif 000003
【図２】
2011070818.tif 000004
【図３】
2011070818.tif 000005
【図４】
2011070818.tif 000006
【図５】
2011070818.tif 000007